(57)【特許請求の範囲】
【請求項１】
受信アンテナから入力された入力信号を復調する信号復調回路および上記受信アンテナから入力された入力信号のノイズ量を検出する信号状態検出回路を備えた衛星放送受信部と、
上記信号状態検出回路で検出された入力信号のノイズ量に応じて上記信号復調回路のＰＬＬループフィルタの時定数を変化させる制御部と、
上記制御部と上記衛星放送受信部との間でデータパルスおよびクロックパルスの送受信が可能な双方向バスラインとを備え、
上記制御部は、上記双方向バスラインを介して上記衛星放送受信部とデータパルスおよびクロックパルスを送受信することによって、入力信号に含まれるノイズ量が大きい場合はＰＬＬループフィルタの時定数を大きくする制御を行い、入力信号に含まれるノイズ量が小さい場合はＰＬＬループフィルタの時定数を小さくする制御を行うことを特徴とする衛星放送受信システム。
【請求項２】
上記制御部は、上記信号状態検出回路で検出された入力信号の状態に応じて上記信号復調回路の特性を決定するＰＬＬループフィルタの時定数を変化させることを特徴とする請求項１記載の衛星放送受信システム。
【請求項３】
上記信号状態検出回路は、上記受信アンテナから入力された入力信号のＣ／Ｎ値を検出し、
上記制御部は、上記信号状態検出回路で検出された入力信号のＣ／Ｎ値に応じて上記信号復調回路の特性を変化させることを特徴とする請求項１または２記載の衛星放送受信システム。
【請求項４】
上記信号状態検出回路は、上記受信アンテナから入力された入力信号のＣ／Ｎ値を検出し、
上記制御部は、上記信号状態検出回路で検出された入力信号のＣ／Ｎ値に応じて、上記信号復調回路の特性を決定するＰＬＬループフィルタの時定数を、予め調査された衛星放送受信部の出力信号にエラーが発生しない範囲で限界まで小さくなるように変化させることを特徴とする請求項１記載の衛星放送受信システム。
【請求項５】
上記信号状態検出回路は、上記受信アンテナから入力された入力信号の復調後のＢＥＲ値を検出し、
上記制御部は、上記信号状態検出回路で検出された、復調された入力信号のＢＥＲ値に応じて上記信号復調回路の特性を変化させることを特徴とする請求項１または２記載の衛星放送受信システム。
【請求項６】
上記信号状態検出回路が、上記信号復調回路が有する信号状態検出機構であることを特徴とする請求項１〜５の何れか１項に記載の衛星放送受信システム。
【発明の詳細な説明】
【０００１】
【発明の属する技術分野】
本発明は、衛星放送受信システムに関するものであり、特に、ディジタル衛星放送受信用のセットトップボックス(Set top Box) もしくはＢＳ(broadcasting satellite)あるいはＣＳ(communication satellite) 内蔵ＴＶに使用されるフロントエンドユニットを有する衛星放送受信部を備えた衛星放送受信システムに関するものである。
【０００２】
【従来の技術】
図１４は、一例として８相ＰＳＫ復調回路と誤り訂正回路とを内蔵した衛星放送受信用フロントエンドを有する衛星放送受信部を備えた衛星放送受信システムの概略構成を示すブロック図である。
【０００３】
図１４に示されるように、上記衛星放送受信システムは、受信アンテナ１と、周波数ダウンコンバータ２と、衛星放送受信部としての衛星放送受信装置１００と、マイクロコントローラ等のＣＰＵ１０１とを備えている。
【０００４】
また、上記衛星放送受信装置１００は、衛星放送受信用のフロントエンドユニットを備え、該衛星放送受信用のフロントエンドユニットは、周波数選局・Ｉ／Ｑ復調回路１１と、上記周波数選局・Ｉ／Ｑ復調回路１１からのＩ信号とＱ信号とを受けて８相ＰＳＫ(phase shift keying ：位相シフトキーイング) 復調を行う８相ＰＳＫ復調ＩＣ（integrated circuit：集積回路）２０とを備えている。
【０００５】
上記フロントエンドユニットにおける８相ＰＳＫ復調ＩＣ２０は、外部、つまり、上記衛星放送受信装置１００の外部に設けられたＣＰＵ１０１（マイクロコントローラ）によって制御される。図１５は、上記従来の衛星放送受信用システムにおける衛星放送受信用のフロントエンドユニットの制御方法を示すフローチャートである。
【０００６】
上記従来の衛星放送受信用システムにおける衛星放送受信装置１００において、受信性能を左右するパラメータ（例えば復調回路のＰＬＬループフィルタの時定数）については、外部のＣＰＵ１０１からの制御データに基づいて、初期設定（Ｓ１０１）が行われた後、８相ＰＳＫ復調ＩＣ２０の特性、より具体的には、信号復調回路である８相ＰＳＫ復調回路２３の特性を決めるパラメータ（復調ＩＣパラメータ）の設定（Ｓ１０２）が行われて設定が完了する（Ｓ１０３）。
【０００７】
【発明が解決しようとする課題】
しかしながら、上記従来の衛星放送受信用システムにおいては、受信性能を左右するパラメータ（例えば復調回路のＰＬＬループフィルタの時定数）については、初期設定として設定するのみで、その後特に外部からの制御は行われていない。
【０００８】
このため、例えば、ある特定のパラメータ（復調ＩＣパラメータ）に対して互いに相反する傾向性を有するような複数の受信性能が存在し、その受信性能が入力信号の状態に応じて変化するような場合、入力信号の状態の変化にも拘らず初期設定されたパラメータをそのまま用いると、入力信号の状態によっては受信性能の低下を引き起こすことになる。このため、上記従来の衛星放送受信用システムでは、入力信号の状態に応じて常に最適な受信性能を保つことができない。
【０００９】
本発明は、上記問題点に鑑みなされたものであり、その目的は、入力信号の状態に応じて常に最適な受信性能を保つことができる衛星放送受信用システムを提供することにある。
【００１０】
【課題を解決するための手段】
本発明に係る衛星放送受信システムは、上記の課題を解決するために、受信アンテナから入力された入力信号を復調する信号復調回路（例えば８相ＰＳＫ復調回路等のＰＳＫ復調回路（ＩＣ））および上記受信アンテナから入力された入力信号の状態（例えば入力信号のＣ／Ｎ値あるいは復調された入力信号のＢＥＲ値）を検出する信号状態検出回路を備えた衛星放送受信部（例えばディジタル衛星放送受信装置等の衛星放送受信装置）と、上記信号状態検出回路で検出された入力信号の状態に応じて上記信号復調回路の特性を変化させる制御部（例えばマイクロコントローラのＣＰＵ）とを備えていることを特徴としている。
【００１１】
上記の構成によれば、受信性能を左右する、信号復調回路の特性を、上記入力信号の状態に応じて変化させることにより、該信号復調回路の特性を、上記入力信号の状態に応じた最適な状態（特性値）に保つことができる。このため、常に最適な受信性能を確保することができ、放送電波の降雨減衰や振動等に強く、より安定して動作する衛星放送受信システムを提供することができる。
【００１２】
本発明に係る衛星放送受信システムは、上記の課題を解決するために、上記制御部は、上記信号状態検出回路で検出された入力信号の状態に応じて上記信号復調回路の特性を決定するＰＬＬループフィルタの時定数を変化させることを特徴としている。
【００１３】
上記ＰＬＬループフィルタの時定数に対する耐ノイズ特性および耐振動特性は、互いに相反する傾向性を有している。このように、信号復調回路の特性を決定するある特定のパラメータに対して互いに相反する傾向性を有するような複数の受信性能が存在し、その受信性能が入力信号の状態に応じて変化するような場合、入力信号の状態の変化にも拘らず初期設定されたパラメータをそのまま用いると、入力信号の状態によっては受信性能の低下を引き起こすことになる。
【００１４】
しかしながら、上記の構成によれば、上記制御部が上記信号状態検出回路で検出された入力信号の状態に応じて上記信号復調回路の特性を決定するＰＬＬループフィルタの時定数を変化させることで、上記信号復調回路の特性を、上記入力信号の状態に応じて変化させることができるので、常に最適な受信性能を確保することができる。このため、常に最適な受信性能を確保することができ、放送電波の降雨減衰や振動等に強く、より安定して動作する衛星放送受信システムを提供することができる。
【００１５】
本発明に係る衛星放送受信システムは、上記の課題を解決するために、上記信号状態検出回路は、上記受信アンテナから入力された入力信号のＣ／Ｎ値を検出し、上記制御部は、上記信号状態検出回路で検出された入力信号のＣ／Ｎ値に応じて上記信号復調回路の特性を変化させることを特徴としている。
【００１６】
つまり、上記衛星放送受信システムにおいて、上記信号状態検出回路が検出する入力信号の状態は、上記受信アンテナから入力された入力信号のＣ／Ｎ値である。
【００１７】
入力信号に含まれるノイズ量は、入力信号のＣ／Ｎ値によって正確に表すことができるが、一般的に、耐ノイズ特性と耐振動特性とは互いに相反する傾向を有している。このように、信号復調回路の特性を決定するある特定のパラメータに対して互いに相反する傾向性を有するような複数の受信性能が存在し、その受信性能が入力信号の状態に応じて変化するような場合、入力信号の状態の変化にも拘らず初期設定されたパラメータをそのまま用いると、入力信号の状態によっては受信性能の低下を引き起こすことになる。
【００１８】
しかしながら、上記の構成によれば、上記信号状態検出回路は、上記受信アンテナから入力された入力信号のＣ／Ｎ値を検出し、上記制御部は、上記信号状態検出回路で検出された入力信号のＣ／Ｎ値に応じて上記信号復調回路の特性を変化させることで、上記信号復調回路の特性を、上記入力信号のＣ／Ｎ値に応じて変化させることができる。
【００１９】
例えば、初期のノイズ量に応じて設定されたパラメータでは耐振動特性が悪い場合であっても、天候の変化等の理由により、入力信号に含まれるノイズ量が変化した場合、上記入力信号のＣ／Ｎ値を検出し、この入力信号の状態の変化に応じて上記パラメータを変更することで、耐振動特性を改良することができる。
【００２０】
このため、上記入力信号のＣ／Ｎ値に応じて上記信号復調回路の特性を変化させることで、常に最適な受信性能を確保することができる。このため、放送電波の降雨減衰や振動等に強く、より安定して動作する衛星放送受信システムを提供することができる。
【００２１】
本発明に係る衛星放送受信システムは、上記の課題を解決するために、上記信号状態検出回路は、上記受信アンテナから入力された入力信号のＣ／Ｎ値を検出し、上記制御部は、上記信号状態検出回路で検出された入力信号のＣ／Ｎ値に応じて、上記信号復調回路の特性を決定するＰＬＬループフィルタの時定数を、予め調査された衛星放送受信部の出力信号にエラーが発生しない範囲で限界まで小さくなるように変化させることを特徴としている。
【００２２】
上述したように、入力信号に含まれるノイズ量は、入力信号のＣ／Ｎ値によって正確に表すことができるが、一般的に、耐ノイズ特性と耐振動特性とは互いに相反する傾向を有している。耐ノイズ特性は、上記衛星放送受信部の出力データにエラーが発生しない限界のノイズ量（限界ノイズ量）として表すことができる。一方、耐振動特性は、上記衛星放送受信部の出力データにエラーが発生しない限界の振動量（限界振動量）として表すことができ、限界の振動量は限界の周波数変動量（限界周波数変動量）として表すことができる。そして、ＰＬＬループフィルタの時定数が小さくなると、限界周波数変動量は大きくなる傾向にある。すなわち、耐振動特性が良くなる。
【００２３】
このため、上記信号状態検出回路で検出された入力信号のＣ／Ｎ値（ノイズ量）に応じて、上記信号復調回路の特性を決定するＰＬＬループフィルタの時定数を、予め調査された衛星放送受信部の出力信号にエラーが発生しない範囲で限界まで小さくなるように変化させることで、常に最適な耐振動特性を得ることができる。このため、放送電波の降雨減衰や振動等に強く、より安定して動作する衛星放送受信システムを提供することができる。
【００２４】
本発明に係る衛星放送受信システムは、上記の課題を解決するために、上記信号状態検出回路は、上記受信アンテナから入力された入力信号の復調後のＢＥＲ値を検出し、上記制御部は、上記信号状態検出回路で検出された、復調された入力信号のＢＥＲ値に応じて上記信号復調回路の特性を変化させることを特徴としている。
【００２５】
つまり、上記衛星放送受信システムにおいて、上記信号状態検出回路が検出する入力信号の状態は、復調された入力信号のＢＥＲ値である。
【００２６】
上記の構成によれば、受信性能を左右する、信号復調回路の特性を、復調された入力信号のＢＥＲ値に応じて変化させることにより、該信号復調回路の特性を、復調された入力信号のＢＥＲ値に応じた最適な状態（特性値）に保つことができる。このため、常に最適な受信性能を確保することができ、放送電波の降雨減衰や振動等に強く、より安定して動作する衛星放送受信システムを提供することができる。
【００２７】
本発明に係る衛星放送受信システムは、上記の課題を解決するために、上記制御部と衛星放送受信部との間でデータパルスおよびクロックパルスの送受信が可能な双方向バスライン（例えばＩＩＣバスライン）を備え、上記制御部は、上記双方向バスラインを介して上記衛星放送受信部とデータパルスおよびクロックパルスを送受信することによって上記信号復調回路の特性を変化させることを特徴としている。
【００２８】
つまり、上記衛星放送受信システムでは、上記制御部は、双方向バスラインを介して上記衛星放送受信部とデータパルスおよびクロックパルスを送受信することで、上記衛星放送受信部における上記信号復調回路および信号状態検出回路の制御（外部制御）を行っている。
【００２９】
上記の構成によれば、上記信号復調回路の特性を変化させるために、上記制御部と衛星放送受信部とで共通のバスライン（双方向バスライン）を使用するため、上記信号復調回路の特性を変化させるために、上記制御部と衛星放送受信部との間、具体的には、例えば上記制御部と上記信号復調回路との間並びに上記制御部と信号状態検出回路との間で検出結果や制御信号を遣り取りするための制御系統を新たに設ける必要が無く、より簡素で安価な衛星放送受信システムを提供することができる。
【００３０】
本発明に係る衛星放送受信システムは、上記の課題を解決するために、上記信号状態検出回路が、上記信号復調回路が有する信号状態検出機構（例えばＣ／Ｎモニタレジスタ等）であることを特徴としてる。
【００３１】
上記の構成によれば、入力信号の状態の検出に、上記信号復調回路が有する信号状態検出機構を使用するため、新たに入力信号の状態検出用の回路等を設ける必要が無いので、より簡素で安価な衛星放送受信システムを提供することができる。
【００３２】
本発明に係る衛星放送受信システムは、上記の課題を解決するために、上記衛星放送受信部が、上記信号状態検出回路と制御部との双方に接続され、上記制御部に、上記入力信号の状態に基づく割り込み信号を出力する信号状態出力フラグ（例えばＣ／Ｎモニタフラグ）を備え、上記制御部は、上記信号状態検出回路に接続された信号状態出力フラグの割り込み信号によって上記信号復調回路の特性を変化させることを特徴としている。
【００３３】
上記入力信号の状態の検出は、例えば上記信号状態出力フラグのＨ／Ｌ信号によって上記制御部に対して割り込みをかけることで行われる。この場合、上記制御部への入力信号が例えばＨ信号であるときにのみ割り込み制御がかかるようにすることで、上記制御部は、割り込み信号の有無によって、上記信号復調回路の特性を変化させることができるので、常に最適な受信性能を確保することができ、放送電波の降雨減衰や振動等に強く、より安定して動作する衛星放送受信システムを提供することができると共に、制御フローが簡略化されることにより、ソフトの設計が容易となり、上記制御部の負担も軽減されるため、より簡素で安価なシステムを提供することができる。
【００３４】
【発明の実施の形態】
〔実施の形態１〕
本発明に係る実施の一形態について、図１〜図９に基づいて説明すれば、以下の通りである。
図１は本実施の形態に係る衛星放送受信システムの概略構成を示すブロック図である。以下、本実施の形態では、衛星放送受信システムとして、ＢＳディジタル衛星放送受信システムを例に挙げて説明するものとする。
【００３５】
本実施の形態に係る衛星放送受信システムは、図１に示すように、衛星放送を受信する受信アンテナ１と、受信アンテナ１で受信された１２ＧＨｚ帯の高周波の受信信号を１ＧＨｚ帯の第１中間周波数信号に周波数変換する周波数ダウンコンバータ２と、信号復調回路およびエラー訂正回路を内蔵した衛星放送受信用のフロントエンドユニット（チューナ）を有する、衛星放送受信部としての衛星放送受信装置１０と、上記衛星放送受信装置１０におけるフロントエンドユニットを該衛星放送受信装置１０の外部から制御する制御部とを備えている。該制御部としては、例えば、マイクロコントローラのＣＰＵ（central processing unit ：中央演算処理装置）３０が用いられる。
【００３６】
上記衛星放送受信装置１０は、衛星放送受信用のフロントエンドユニットを備え、該衛星放送受信用のフロントエンドユニットは、周波数選局・Ｉ／Ｑ復調回路１１と、信号状態検出回路１２と、制御用インターフェース１３とを備えると共に、上記周波数選局・Ｉ／Ｑ復調回路１１からのＩ信号とＱ信号とを受けてＰＳＫ復調を行うＰＳＫ(phase shift keying ：位相シフトキーイング) 復調ＩＣ（integrated circuit：集積回路）として、８相ＰＳＫ復調ＩＣ２０を備えている。
【００３７】
上記周波数選局・Ｉ／Ｑ復調回路１１は、受信アンテナ１から入力された高周波の入力信号を選局、Ｉ／Ｑ復調してディジタル復調すべきベースバンド信号（Ｉ信号およびＱ信号）に変換して、上記８相ＰＳＫ復調ＩＣ２０におけるＡ／Ｄ(analog to digital) コンバータ２１・２２に送出するようになっている。受信アンテナ１から上記周波数選局・Ｉ／Ｑ復調回路１１への入力信号の入力は、周波数ダウンコンバータ２を介して行われる。
【００３８】
信号状態検出回路１２は、受信アンテナ１から衛星放送受信部である上記衛星放送受信装置１０に入力された入力信号の状態を検出するようになっている。本実施の形態では、上記信号状態検出回路１２は、８相ＰＳＫ復調ＩＣ２０の前段に設けられ、受信アンテナ１で受信された入力信号は、周波数ダウンコンバータ２で１ＧＨｚ帯の第１中間周波数信号に変換された後、２分配され、その一方が上記周波数選局・Ｉ／Ｑ復調回路１１に入力される一方、他方が該信号状態検出回路１２に入力されるようになっている。該信号状態検出回路１２で検出された入力信号の状態、つまり、該信号状態検出回路１２による検出結果は、制御用インターフェース１３を介してＣＰＵ３０によって検出される。
【００３９】
上記８相ＰＳＫ復調ＩＣ２０は、上記周波数選局・Ｉ／Ｑ復調回路１１からの出力をアナログ／ディジタル変換して８相ＰＳＫ復調回路２３に送出するＡ／Ｄコンバータ２１・２２と、Ａ／Ｄコンバータ２１・２２を介して上記周波数選局・Ｉ／Ｑ復調回路１１より出力されるベースバンド信号であるＩ／Ｑ信号（Ｉ信号およびＱ信号）をディジタル復調する８相ＰＳＫ復調回路２３と、誤り訂正を行うトレリスデコーダ２４並びにリードソロモンデコーダ２５と、周波数変調された搬送波の中からベースバンド信号を抽出する、閉ループで結ばれた、ＰＬＬ回路２６（位相比較器）、ループフィルタ２７、およびＶＣＯ(voltage controlled oscillatot：電圧制御発振器）回路２８と、制御用インターフェース２９とを備えたトランスポート回路からなり、周波数選局・Ｉ／Ｑ復調回路１１から出力されたベースバンド信号をＡ／Ｄ変換し、８相ＰＳＫ復調回路２３、トレリスデコーダ２４、およびリードソロモンデコーダ２５によって、ディジタル復調した後、誤り訂正を行い、上記ベースバンド信号をエラー訂正されたディジタル信号に復調することで、トランスポートストリームデータとして出力するようになっている。
【００４０】
Ａ／Ｄコンバータ２１は周波数選局・Ｉ／Ｑ復調回路１１のＩ信号出力端子に接続され、Ａ／Ｄコンバータ２２は周波数選局・Ｉ／Ｑ復調回路１１のＱ信号出力端子に接続されている。
【００４１】
また、上記８相ＰＳＫ復調ＩＣ２０におけるＡ／Ｄコンバータ２１・２２には、ＣＰＵ３０から、上記制御用インターフェース２９およびＰＬＬ回路２６を介して受信チャネルの選局データに基づくパラメータ（復調ＩＣパラメータ）に応じた局部発振信号が与えられ、これにより、８相ＰＳＫ復調回路２３の特性が決定されている。
【００４２】
上記ＣＰＵ３０は、上記衛星放送受信装置１０におけるフロントエンドユニットを該衛星放送受信装置１０の外部から制御するようになっており、上記８相ＰＳＫ復調ＩＣ２０に受信チャネルの選局データに基づく制御信号（局部発振信号）を与えると共に、上記信号状態検出回路１２で検出された入力信号の状態に応じて上記８相ＰＳＫ復調ＩＣ２０に与える制御信号を変更することで、信号状態検出回路１２で検出された入力信号の状態に応じて、信号復調回路である上記８相ＰＳＫ復調回路２３の特性を変化させるようになっている。
【００４３】
次に、本実施の形態に係る上記衛星放送受信システムの動作（受信方法）について以下に説明する。
受信アンテナ１で受信された信号（ＲＦ(radio frequency：無線周波数）信号）、すなわち、衛生放送は、周波数ダウンコンバータ２を介して衛星放送受信装置１０における周波数選局・Ｉ／Ｑ復調回路１１に入力される。
【００４４】
上記周波数ダウンコンバータ２は、図示しない低雑音増幅器、混合器（ミキサ）等を備え、受信アンテナ１で受信された１２ＧＨｚ帯の高周波の信号を、低雑音増幅器で増幅した上で、混合器により１ＧＨｚ帯にダウンコンバートして１ＧＨｚ帯の第１中間周波数（ＩＦ：intermediate frequency) 信号とし、さらに増幅した上で衛星放送受信装置１０に送る。本実施の形態では、上記周波数ダウンコンバータ２から衛星放送受信装置１０に送出された信号は該衛星放送受信装置１０において２分配され、その一方が、該衛星放送受信装置１０の周波数選局・Ｉ／Ｑ復調回路１１に入力される。
【００４５】
周波数選局・Ｉ／Ｑ復調回路１１は、周波数選局回路とＩ／Ｑ復調回路（コンバータ）とからなり、上記周波数ダウンコンバータ２で１２ＧＨｚ帯から１ＧＨｚ帯に変換された周波数（第１中間周波数信号）の中から選局を行い、選局後の中間周波数をＩ／Ｑ復調してディジタル復調すべきベースバンド信号に変換し、Ａ／Ｄコンバータ２１・２２を介して上記８相ＰＳＫ復調ＩＣ２０に送出する。
【００４６】
具体的には、上記周波数選局回路は、例えば、混合器（ミキサ）、局部発振器、帯域通過フィルタ、増幅器、Ｉ／Ｑ復調器等（何れも図示せず）を備え、衛星放送受信装置１０では、周波数選局・Ｉ／Ｑ復調回路１１にて、上記周波数ダウンコンバータ２で１２ＧＨｚ帯から１ＧＨｚ帯に変換された周波数（第１中間周波数信号）の中から選局を行い、混合器（ミキサ）にて、上記第１中間周波数信号を、希望チャネルに合わせた局部発振周波数と再度混合し、第１中間周波数信号と局部発振器からの局部発振信号との差の周波数を有する第２中間周波数（ＩＦ）信号（１３．２６ＭＨｚまたは４０２．７８ＭＨｚ）を得る。次いで、この第２中間周波数信号を、帯域通過フィルタ（例えば表面音響波フィルタ）によって帯域制限し、不要なスペクトラムを除去し、増幅器にて増幅した後、Ｉ／Ｑ復調回路に送出する。
【００４７】
Ｉ／Ｑ復調回路は、例えば、ダウンコンバート用の２つの混合器（ミキサ）、局部発振回路、９０度位相器等（何れも図示せず）を備えている。周波数選局回路からの第２中間周波数信号は、２分配されて各混合器に入力される。また、第２中間周波数信号と略等しい周波数で発振する上記局部発振回路からの出力は２分配され、その一方が９０度移相器を経由することによって得られた、互いに９０度位相が異なる２つの信号（直交基準搬送信号、基準搬送信号）が上記各混合器に入力され、各混合器にて、２分配された上記第２中間周波数信号と混合されてベースバンド信号に周波数変換される。つまり、一方の混合器では、２分配された第２中間周波数信号のうち、一方の第２中間周波数信号と直交基準搬送信号とが乗算され、他方の混合器では、２分配された第２中間周波数信号のうち、他方の第２中間周波数信号と基準搬送信号とがそれぞれ乗算される。これにより、Ｉ／Ｑ復調回路では、第２中間周波数信号をベースバンド信号に周波数変換し、９０度位相のずれた、Ｉ信号（１．５ＭＨｚ）およびＱ信号（０．５ＭＨｚ）の２つの信号（色差信号）を出力する。
【００４８】
このようにして変換されたベースバンド信号（色差信号）のうち、Ｉ信号はＡ／Ｄコンバータ２１に入力され、Ｑ信号はＡ／Ｄコンバータ２２に入力され、それぞれアナログ／ディジタル変換されて８相ＰＳＫ復調回路２３に送出される。
【００４９】
そして、上記周波数選局・Ｉ／Ｑ復調回路１１より出力されたＩ／Ｑ信号は、８相ＰＳＫ復調回路２３において８相ＰＳＫ復調され、８相ＰＳＫ復調データとしてトレリスデコーダ２４に出力され、トレリス符号化８相ＰＳＫ変調され、リードソロモンデコーダ２５を介してトランスポートストリームデータとして衛星放送受信装置１０より後段の回路に出力される。このように、受信アンテナ１から入力された入力信号は、ディジタル復調された後、トレリスデコーダ２４、リードソロモンデコーダ２５等により、受信した放送形態に応じたデコードおよびエラー訂正が行われ、後段の回路に出力される。
【００５０】
上記８相ＰＳＫ復調ＩＣ２０は、該８相ＰＳＫ復調ＩＣ２０の動作を制御するための、図示しない制御情報用の制御情報ラインを通じて、衛星放送受信部である衛星放送受信装置１０外部のＣＰＵ３０によって、その動作が制御されている。
【００５１】
上記８相ＰＳＫ復調ＩＣ２０には、ＣＰＵ３０から、例えば受信チャネルの選局データに基づく、上記８相ＰＳＫ復調ＩＣ２０（８相ＰＳＫ復調回路２３）の特性を決定するパラメータ（復調ＩＣパラメータ）に応じた制御信号が与えられている。該データは、制御用インターフェース２９を介してＰＬＬ回路２６に入力される。該ＰＬＬ回路２６では、上記データに対応して、上記８相ＰＳＫ復調ＩＣ２０における８相ＰＳＫ復調回路２３の特性を決定するパラメータ（復調ＩＣパラメータ）の設定が行われ、該パラメータに応じた発振周波数の制御等が行われ、所望する選局チャネルの信号成分に発振周波数が一致するように制御されている。ＰＬＬ回路２６による制御結果は、Ａ／Ｄコンバータ２１・２２にてディジタル変換され、８相ＰＳＫ復調回路２３に出力される。これにより、上記Ａ／Ｄコンバータ２１・２２には、上記ＰＬＬ回路２６と閉ループを形成するＶＣＯ回路２８からの局部発振信号が制御信号として与えられている。
【００５２】
一方、受信アンテナ１で受信され、上記周波数ダウンコンバータ２から衛星放送受信装置１０に送出され、該衛星放送受信装置１０において２分配された信号のうち、他方の信号は、該衛星放送受信装置１０の信号状態検出回路１２に入力される。上記信号状態検出回路１２もまた、該信号状態検出回路１２の動作を制御するための、図示しない制御情報用の制御情報ラインを通じて、衛星放送受信装置１０外部のＣＰＵ３０によって、その動作が制御されている。
【００５３】
該信号状態検出回路１２に受信アンテナ１からの入力信号が入力されると、該信号状態検出回路１２では、入力された入力信号の状態の検出が行われる。この検出結果は、制御用インターフェース１３を介してＣＰＵ３０に出力され、該ＣＰＵ３０において検出される。
【００５４】
ＣＰＵ３０では、信号状態検出回路１２で検出された入力信号の状態から、受信性能を左右するパラメータである、８相ＰＳＫ復調回路２３の特性を決めるパラメータ値として現在設定されているパラメータ値が入力信号の状態に最適な値かどうかを判定し、この判定結果に応じて、８相ＰＳＫ復調回路２３の特性、具体的には、該８相ＰＳＫ復調回路２３の特性を決定するパラメータを最適な値に制御する。
【００５５】
ＣＰＵ３０は、上記判定結果に応じて、８相ＰＳＫ復調ＩＣ２０の制御用インターフェース２９を介してＰＬＬ回路２６に入力するデータを変更する。これにより、上記Ａ／Ｄコンバータ２１・２２には、上記信号状態検出回路１２で検出された入力信号の状態に応じた局部発振信号が与えられる。
【００５６】
本実施の形態では、このように、上記信号状態検出回路１２にて受信アンテナ１から入力された入力信号の状態を検出し、該検出結果に基づいて８相ＰＳＫ復調回路２３の特性を最適な値に制御することで、常に最適な受信性能を確保することができるようになっている。
【００５７】
次に、図２に示すフローチャートに基づいて、信号復調回路およびエラー訂正回路を内蔵した衛星放送受信部の衛星放送受信用のフロントエンドユニットの制御方法として、上記衛星放送受信装置１０の８相ＰＳＫ復調ＩＣ２０の特性制御について以下に説明する。
【００５８】
上記フロントエンドユニットでは、先ず、図２に示すように、外部のＣＰＵ３０からの制御データに基づいて、初期設定（Ｓ１）を行った後、８相ＰＳＫ復調ＩＣ２０の特性、より具体的には、信号復調回路である８相ＰＳＫ復調回路２３の特性を決めるパラメータ（復調ＩＣパラメータ）の設定が行われる（Ｓ２）。
【００５９】
次に、信号状態検出回路１２で、入力信号の状態を検出し（Ｓ３）、現在設定されているパラメータ（復調ＩＣパラメータ）の値が、検出された入力信号の状態に最適な値かどうかを判定（復調ＩＣパラメータ判定）する（Ｓ４）。
【００６０】
Ｓ４で判定結果がＮＧであれば、パラメータ設定を変更し（Ｓ７）、再びＳ２に戻って復調ＩＣパラメータを設定し、入力信号の状態検出（Ｓ３）、復調ＩＣパラメータ判定（Ｓ４）を、Ｓ４で判定結果がＯＫとなるまで繰り返す。
【００６１】
一方、Ｓ４で、判定結果がＯＫとなった場合は、設定を完了し（Ｓ５）、以降、次にパラメータが変更されるまで、Ｓ５で設定されたパラメータを用いて信号の受信が行われる。
【００６２】
Ｓ５で設定が完了すると、上記信号状態検出回路１２は、待機状態に入る（Ｓ６）。そして、定期的にＳ３に戻って入力信号の状態の検出を行い、復調ＩＣパラメータ判定（Ｓ４）を行うことにより、時間軸に対して常に最適なパラメータ値が設定される。
【００６３】
次に、上記パラメータとして、８相ＰＳＫ復調ＩＣ２０のループフィルタ２７の時定数の設定を行う場合を例に挙げて、上記衛星放送受信装置１０の８相ＰＳＫ復調ＩＣ２０の特性制御について以下に説明する。
８相ＰＳＫ復調ＩＣ２０のループフィルタ２７（ＰＬＬループフィルタ）は、ＰＬＬ回路２６の出力に含まれる高周波成分や雑音（ノイズ）を取り除くと共に、外部信号捕獲後のロックの持続（保持）を行うようになっており、該ループフィルタ２７の時定数は、該ループフィルタ２７の時定数に対する耐ノイズ特性および耐振動特性を考慮して決定される。これら両特性は、互いに相反する傾向性を有している。
【００６４】
図３は、図１に示す衛星放送受信用システムにおける衛星放送受信用のフロントエンドユニットの制御方法を示す他のフローチャートであり、ここでは、入力信号に応じて８相ＰＳＫ復調ＩＣ２０のループフィルタ２７の時定数を変更する場合における８相ＰＳＫ復調ＩＣ２０の特性制御について説明する。
この場合、上記フロントエンドユニットでは、先ず、図３に示すように、外部のＣＰＵ３０からの制御データに基づいて、初期設定（Ｓ１１）が行われた後、８相ＰＳＫ復調ＩＣ２０（８相ＰＳＫ復調回路２３）の特性を決めるループフィルタ２７（ＰＬＬループフィルタ（復調ＩＣループフィルタ））の時定数の設定が行われる（Ｓ１２）。
【００６５】
次に、信号状態検出回路１２で、入力信号の状態を検出し（Ｓ１３）、現在設定されている復調ＩＣループフィルタ時定数、すなわち、外部のＣＰＵ３０からの制御データに基づいて現在８相ＰＳＫ復調ＩＣ２０のループフィルタ２７で設定されている時定数が、信号状態検出回路１２で検出された入力信号の状態に最適な値かどうかを判定する（Ｓ１４）。
【００６６】
Ｓ１４で判定結果がＮＧであれば、時定数を変更し（Ｓ１７）、再びＳ１２に戻って復調ＩＣループフィルタの時定数を設定し、入力信号の状態検出（Ｓ１３）、復調ＩＣループフィルタの時定数判定（Ｓ１４）を、Ｓ１４で判定結果がＯＫとなるまで繰り返す。
【００６７】
一方、Ｓ１４で、判定結果がＯＫとなった場合は、設定を完了し（Ｓ１５）、以降、次にパラメータが変更されるまで、Ｓ１５で設定されたパラメータを用いて信号の受信が行われる。
【００６８】
Ｓ１５で設定が完了すると、上記信号状態検出回路１２は、待機状態に入る（Ｓ１６）。そして、定期的にＳ１３に戻って入力信号の状態の検出を行い、復調ＩＣループフィルタ時定数の判定（Ｓ１４）を行うことにより、時間軸に対して常に最適な時定数が設定される。
【００６９】
このように、入力信号の状態に基づいて、受信性能を左右する、８相ＰＳＫ復調ＩＣ２０の特性、特に、８相ＰＳＫ復調回路２３の特性を決めるパラメータ（例えばループフィルタ２７の時定数）を外部からの制御によって変化させて該パラメータ（例えばループフィルタ２７の時定数）が最適な時定数となるように制御することで、入力信号の状態に応じた最適な受信性能を確保することができる。また、本実施の形態によれば、上記パラメータ（例えばループフィルタ２７の時定数）の変更を定期的に行い、該時定数が時間軸に対して最適な時定数となるように制御することで、時間軸に対して、常に最適な受信性能を確保することができる。
【００７０】
なお、上記の説明では、入力信号の状態に基づいてループフィルタ２７の時定数を変化させる構成としたが、その他、ループフィルタ２７の定数を変更することで、キャプチャレンジ、ロック時の位相誤差、アクイジション時間、ジッタ等、その系における最適な状態を求めることができる。
【００７１】
また、本実施の形態において、上記信号状態検出回路１２が検出する入力信号の状態とは、８相ＰＳＫ復調ＩＣ２０の特性を変更するパラメータ、つまり、受信性能を左右するパラメータの変更に用いられることで該パラメータに影響を及ぼす、入力信号の特性値を示す。
【００７２】
該入力信号の状態（特性値）としては、例えば、入力信号のＣ／Ｎ（電送路の１Ｈｚあたりの受信電力（ｄＢｍ／Ｈｚ）／雑音電力密度（ｄＢｍ）比）の状態（Ｃ／Ｎ値）や、復調された入力信号のＢＥＲ(bit error rate ：ビット誤り率）の状態（ＢＥＲ値）等が挙げられる。
【００７３】
すなわち、本実施の形態に係る上記衛星放送受信システムは、衛星放送受信装置１０として、例えば、図４に示すように、上記信号状態検出回路１２が、入力信号のＣ／Ｎ値を検出するＣ／Ｎ値検出回路１２ａを有する衛星放送受信装置を備えた構成を有している。
【００７４】
該衛星放送受信装置１０では、上記信号状態検出回路１２により、入力信号の状態として、入力信号におけるＣ／Ｎ値が検出される。この結果、ＣＰＵ３０による復調ＩＣパラメータの判定は、入力信号におけるＣ／Ｎ値に基づいて行われ、復調ＩＣパラメータは、入力信号におけるＣ／Ｎ値に応じて変更されるようになっている。なお、図４に示す衛星放送受信システムにおける信号状態検出回路１２の内部の構成以外の構成並びに動作は、図１に示す衛星放送受信システムと同じであるため、ここではその説明を省略する。
【００７５】
次に、図５に示すフローチャートに基づいて、信号復調回路およびエラー訂正回路を内蔵した衛星放送受信部の衛星放送受信用のフロントエンドユニットの制御方法として、図４に示す衛星放送受信装置１０の８相ＰＳＫ復調ＩＣ２０の特性制御、つまり、復調ＩＣパラメータを、入力信号におけるＣ／Ｎ値に応じて変更する場合における８相ＰＳＫ復調ＩＣ２０の特性制御について以下に説明する。
【００７６】
この場合、上記フロントエンドユニットでは、先ず、図５に示すように、外部のＣＰＵ３０からの制御データに基づいて、初期設定（Ｓ２１）が行われた後、８相ＰＳＫ復調ＩＣ２０の特性、より具体的には、信号復調回路である８相ＰＳＫ復調回路２３の特性を決めるパラメータ（復調ＩＣパラメータ）の設定が行われる（Ｓ２２）。
【００７７】
次に、信号状態検出回路１２におけるＣ／Ｎ値検出回路１２ａで、入力信号のＣ／Ｎ値を検出し（Ｓ２３）、現在設定されているパラメータ（復調ＩＣパラメータ）の値が、検出されたＣ／Ｎ値に対して最適な値かどうかを判定（復調ＩＣパラメータ判定）する（Ｓ２４）。
【００７８】
Ｓ２４で判定結果がＮＧであれば、復調ＩＣパラメータの設定を変更し（Ｓ２７）、再びＳ２２に戻って復調ＩＣパラメータを設定し、入力信号のＣ／Ｎ値検出（Ｓ２３）、復調ＩＣパラメータ判定（Ｓ２４）を、Ｓ２４で判定結果がＯＫとなるまで繰り返す。
【００７９】
一方、Ｓ２４で、判定結果がＯＫとなった場合は、復調ＩＣパラメータの設定を完了し（Ｓ２５）、以降、次にパラメータが変更されるまで、Ｓ２５で設定されたパラメータを用いて信号の受信が行われる。
【００８０】
Ｓ２５で設定が完了すると、上記信号状態検出回路１２は、待機状態に入る（Ｓ２６）。そして、定期的にＳ２３に戻って入力信号のＣ／Ｎ値の検出を行い、復調ＩＣパラメータ判定（Ｓ２４）を行うことにより、時間軸に対して常に最適なパラメータ値が設定される。従って、常に最適な受信性能を確保することが可能となる。
【００８１】
上記復調ＩＣパラメータとしては、例えば、図３に示したように、８相ＰＳＫ復調ＩＣ２０（８相ＰＳＫ復調回路２３）の特性を決めるループフィルタ２７（ＰＬＬループフィルタ（復調ＩＣループフィルタ））の時定数が挙げられる。
【００８２】
そこで、次に、図６に示すフローチャートに基づいて、信号復調回路およびエラー訂正回路を内蔵した衛星放送受信部の衛星放送受信用のフロントエンドユニットの制御方法として、図４に示す衛星放送受信装置１０の８相ＰＳＫ復調ＩＣ２０の特性制御において、８相ＰＳＫ復調ＩＣ２０のループフィルタ２７（ＰＬＬループフィルタ（復調ＩＣループフィルタ））の時定数を、入力信号におけるＣ／Ｎ値に応じて変更する場合における８相ＰＳＫ復調ＩＣ２０の特性制御について以下に説明する。
【００８３】
この場合、上記フロントエンドユニットでは、先ず、図６に示すように、外部のＣＰＵ３０からの制御データに基づいて、初期設定（Ｓ３１）の後、８相ＰＳＫ復調ＩＣ２０の特性、より具体的には、信号復調回路である８相ＰＳＫ復調回路２３の特性を決めるパラメータ（復調ＩＣパラメータ）の設定が行われる（Ｓ３２）。
【００８４】
次に、信号状態検出回路１２で、入力信号のＣ／Ｎ値を検出し（Ｓ３３）、現在設定されている復調ＩＣループフィルタの時定数が、検出されたＣ／Ｎ値に対して最適な値かどうかを判定する（Ｓ３４）。
【００８５】
Ｓ３４で判定結果がＮＧであれば、復調ＩＣパラメータの設定を変更し（Ｓ３７）、再びＳ３２に戻って復調ＩＣループフィルタの時定数を設定し、入力信号のＣ／Ｎ値検出（Ｓ３３）、復調ＩＣループフィルタの時定数判定（Ｓ３４）を、Ｓ３４で判定結果がＯＫとなるまで繰り返す。
【００８６】
一方、Ｓ３４で、判定結果がＯＫとなった場合は、復調ＩＣループフィルタの時定数の設定を完了し（Ｓ３５）、以降、次に復調ＩＣループフィルタの時定数が変更されるまで、Ｓ３５で設定されたパラメータを用いて信号の受信が行われる。
【００８７】
Ｓ３５で設定が完了すると、上記信号状態検出回路１２は、待機状態に入る（Ｓ３６）。そして、定期的にＳ３３に戻って入力信号のＣ／Ｎ値の検出を行い、復調ＩＣループフィルタの時定数の判定（Ｓ３４）を行うことにより、時間軸に対して常に最適なパラメータ値が設定される。
【００８８】
ここで、信号復調回路（ＩＣ）のＰＬＬループフィルタの時定数に対する耐ノイズ特性および耐振動特性の一例として、８相ＰＳＫ復調ＩＣ２０のループフィルタ２７の時定数に対する耐ノイズ特性および耐振動特性の一例を図７に示す。図７に示されるように、一般的に、耐ノイズ特性と耐振動特性とは互いに相反する傾向を有している。耐ノイズ特性は時定数が大きくなる程良くなる傾向にあり、逆に、耐振動特性は時定数が小さくなる程良くなる傾向にある。
【００８９】
耐ノイズ特性は、信号復調回路およびエラー訂正回路を内蔵した衛星放送受信部（この場合は衛星放送受信装置１０）の出力データにエラーが発生しない限界のノイズ量（限界ノイズ量）として表すことができる。したがって、図７に示すように、小さい時定数に対しては限界ノイズ量は小さくなる。すなわち、耐ノイズ特性が悪くなる。逆に、大きい時定数に対しては限界ノイズ量は大きくなる。すなわち、耐ノイズ特性が良くなる。入力信号に含まれるノイズ量は、入力信号のＣ／Ｎ値によって正確に表すことができる。
【００９０】
一方、耐振動特性は、信号復調回路およびエラー訂正回路を内蔵した衛星放送受信部（この場合は衛星放送受信装置１０）の出力データにエラーが発生しない限界の振動量（限界振動量）として表すことができる。振動は結果的にフロントエンドユニット内部の１／Ｑ信号の周波数変動をもたらすため、限界の振動量は限界の周波数変動量（限界周波数変動量）として表すことができる。したがって、図７に示すように、小さい時定数に対しては限界周波数変動量は大きくなる。すなわち、耐振動特性が良くなる。逆に、大きい時定数に対しては限界周波数変動量は大きくなる。すなわち、耐振動特性が悪くなる。
【００９１】
ここで、一例として、図７において、入力信号に含まれるノイズ量がＮ２である場合について以下に考察する。
この場合、ＰＬＬループフィルタの時定数はＴｃに設定されている必要がある。この時、限界周波数振動量はＳａであり、この例においては最も悪い特性となる。ここで、天候の変化等の理由により、入力信号に含まれるノイズ量がＮ２からＮ１に変化した場合、ＰＬＬループフィルタの時定数はＴａに変更することが可能となり、この変更を実行することによって限界周波数振動量はＳｃとなり、耐振動特性を良くすることができる。
【００９２】
このように、入力信号のＣ／Ｎ値（ノイズ量）に応じて定期的にＰＬＬループフィルタの時定数を変更、より具体的には、予め調査された衛星放送受信部からの出力信号にエラーが発生しない範囲で小さくなるようにＣＰＵ３０によって変化させることにより、時間軸に対して常に最適なＰＬＬループフィルタの時定数を設定することができる。この結果、常に最適な耐ノイズ特性と耐振動特性とを得ることができる。
【００９３】
また、本実施の形態に係る衛星放送受信システムは、上記信号状態検出回路１２が、入力信号の状態として、復調後の入力信号のＢＥＲ値を検出し、これにより、復調後の入力信号のＢＥＲ値に応じて復調ＩＣパラメータを変更する構成としてもよい。このような構成を有する衛星放送受信システムを図８に示す。
【００９４】
本実施の形態に係る上記衛星放送受信システムは、図４において、衛星放送受信装置１０に代えて、図８に示すように、上記信号状態検出回路１２が、入力信号を復調する復調回路１２ｂと、復調後の入力信号のＢＥＲ値を検出するＢＥＲ値検出回路１２ｃを有する衛星放送受信装置１０’を備えた構成を有している。なお、図８に示す衛星放送受信システムにおける信号状態検出回路１２の内部の構成以外の構成並びに動作は、図１並びに図４に示す衛星放送受信システムと同じであるため、ここではその説明を省略する。
【００９５】
次に、図９に示すフローチャートに基づいて、信号復調回路およびエラー訂正回路を内蔵した衛星放送受信部の衛星放送受信用のフロントエンドユニットの制御方法として、図８に示す衛星放送受信装置１０’の８相ＰＳＫ復調ＩＣ２０の特性制御、つまり、復調ＩＣパラメータを、復調後の入力信号におけるＢＥＲ値に応じて変更する場合における８相ＰＳＫ復調ＩＣ２０の特性制御について以下に説明する。
【００９６】
この場合、上記フロントエンドユニットでは、先ず、図９に示すように、外部のＣＰＵ３０からの制御データに基づいて、初期設定（Ｓ４１）の後、８相ＰＳＫ復調ＩＣ２０の特性、より具体的には、信号復調回路である８相ＰＳＫ復調回路２３の特性を決めるパラメータ（復調ＩＣパラメータ、例えば図３に示すように復調ＩＣループフィルタの時定数）の設定が行われる（Ｓ４２）。
【００９７】
次に、信号状態検出回路１２における復調回路１２ｂで、入力信号を復調（Ｓ４３）した後、ＢＥＲ値検出回路１２ｃで、復調された入力信号のＢＥＲ値を検出し（Ｓ４４）、現在設定されているパラメータ（復調ＩＣパラメータ）が、検出されたＢＥＲ値に対して最適な値かどうかを判定（復調ＩＣパラメータ判定）する（Ｓ４５）。
【００９８】
Ｓ４５で判定結果がＮＧであれば、復調ＩＣパラメータの設定を変更し（Ｓ４８）、再びＳ４２に戻って復調ＩＣパラメータを設定し、入力信号の復調（Ｓ４３）、復調後の入力信号のＢＥＲ値検出（Ｓ４４）、復調ＩＣパラメータ判定（Ｓ４５）を、Ｓ４５で判定結果がＯＫとなるまで繰り返す。
【００９９】
一方、Ｓ４５で、判定結果がＯＫとなった場合は、復調ＩＣパラメータの設定を完了し（Ｓ４６）、以降、次にパラメータが変更されるまで、Ｓ４６で設定されたパラメータを用いて信号の受信が行われる。
【０１００】
Ｓ４６で設定が完了すると、上記信号状態検出回路１２は、待機状態に入る（Ｓ４７）。そして、定期的にＳ４３に戻って入力信号のＢＥＲ値の検出を行い、復調ＩＣパラメータの判定（Ｓ４５）を行うことにより、時間軸に対して常に最適なパラメータ値が設定される。従って、常に最適な受信性能を確保することが可能となる。
【０１０１】
以上のように、本実施の形態に係る衛星放送受信システムは、（１）受信アンテナから入力された入力信号を、復調、例えばディジタル復調する信号復調回路および上記受信アンテナから入力された入力信号の状態を検出する信号状態検出回路を備えた衛星放送受信部と、（２）上記信号状態検出回路で検出された入力信号の状態に応じて上記信号復調回路の特性を変化させる制御部とを備えた構成を有している。
【０１０２】
本実施の形態に係る衛星放送受信部は、信号復調回路およびエラー訂正回路を内蔵した衛星放送受信装置であって、入力信号の状態に応じて上記信号復調回路の特性を外部制御によって変化させることにより、常に最適な受信性能を確保するようになっている。
【０１０３】
本実施の形態に係る上記衛星放送受信システムは、より具体的には、（１）受信アンテナから入力された入力信号を復調すべきベースバンド信号に変換するチューナフロントエンド回路と、上記チューナフロントエンド回路より出力されるベースバンド信号に対して、復調、例えばディジタル復調を行う信号復調回路と、上記受信アンテナから入力された入力信号の状態を検出する信号状態検出回路とを備えた衛星放送受信部と、（２）上記信号状態検出回路で検出された入力信号の状態に応じて上記信号復調回路の特性を変化させる制御部とを備えた構成を有している。
【０１０４】
本実施の形態に係る衛星放送受信システムによれば、受信性能を左右する、信号復調回路の特性を、入力信号の状態、例えば入力信号のＣ／Ｎ値、復調後のＢＥＲ値（復調された入力信号のＢＥＲ値）等に応じて変化させることにより、ＰＬＬループフィルタの時定数等、上記信号復調回路の特性を決定するパラメータを、初期設定のまま使用する場合と異なり、入力信号の状態に応じた最適な値に設定することができ、上記信号復調回路の特性を、入力信号の状態に応じた最適な状態（特性値）に保つことができる。例えば、信号復調回路（ＩＣ）におけるＰＬＬループフィルタの時定数を、入力信号のＣ／Ｎの状態に応じて、予め調査された衛星放送受信部（衛星放送受信装置）の出力信号にエラーが発生しない範囲で限界まで小さくなるように、上記制御部による外部制御によって変化させることにより、常に最良な耐振動特性（限界周波数変動量）を確保することができる。このため、常に最適な受信性能を保つことができる。これにより、放送電波の降雨減衰や振動等に強く、より安定して動作する衛星放送受信システムを提供することができる。
【０１０５】
なお、本実施の形態では、衛星放送受信部がＢＳディジタル衛星放送を受信するＢＳディジタル衛星放送受信部からなる場合を例に挙げて説明したが、本発明に係る衛星放送受信システムは、これに限定されるものではない。本実施の形態において説明したフロントエンドユニットは、主にデジタル衛星放送受信用のセットトップボックス(Set top Box) もしくはＢＳ(broadcasting satellite)あるいはＣＳ(communication satellite) 内蔵ＴＶに使用される。なお、本発明において、衛星放送には、ＢＳもＣＳも含まれるものとする。上記衛星放送受信システムをＣＳディジタル衛星放送の受信に使用する場合、上記信号復調回路（ＩＣ）としては、ＰＳＫ復調ＩＣとして、例えばＱＰＳＫ（quadriphase phase shift keying）復調ＩＣが好適に用いられる等、上記信号復調および誤り訂正としては、受信した放送形態に応じた処理が行われる。また、上記搬送波の変調方式（信号復調）としては、ＰＳＫ方式に限定されるものではない。
【０１０６】
また、上記衛星放送受信システムとしては、ディジタル衛星放送を受信するものに限定されるものではなく、アナログ衛星放送の受信を行うものであってもよい。例えば、上記衛星放送受信部としてアナログ衛星放送受信部を備え、チューナフロントエンド部にて、受信アンテナで受信したアナログ衛星放送の高周波信号（ＲＦ信号）より選局およびＩＦ復調を行い、該チューナフロントエンド部より出力されるＩＦ信号に対してアナログ復調処理（ＦＭ復調処理）を行う構成としてもよく、ディジタル放送、アナログ放送の両方に対応した構成を有していてもよい。
【０１０７】
〔実施の形態２〕
本実施の形態について、図１０に基づいて説明すれば、以下の通りである。
本実施の形態では、前記実施の形態１との相違点について説明するものとし、前記実施の形態１で用いた部材と同一の機能を有する部材には同一の部材番号を付記し、その説明を省略する。
【０１０８】
図１０は本実施の形態に係る衛星放送受信システムの概略構成を示すブロック図である。なお、本実施の形態でも、衛星放送受信システムの一例として、ＢＳディジタル衛星放送受信システムを例に挙げて説明するものとするが、本発明はこれに限定されるものではない。
【０１０９】
本実施の形態に係る衛星放送受信システムは、図１０に示すように、図１に示す衛星放送受信システムにおいて、制御用インターフェース１３、制御用インターフェース２９、およびＣＰＵ３０にそれぞれ接続される共通の双方向バスラインとして、データ線３１ａとクロック線３１ｂとからなるＩＩＣ（Inter Integrated Circuit）バスライン３１を備え、このＩＩＣバスライン３１上でデータパルスとそれに同期したクロックパルスとを送受信するようになっている。
【０１１０】
つまり、上記衛星放送受信システムにおいて、衛生放送受信部である衛星放送受信装置４０における８相ＰＳＫ復調ＩＣ２０並びに信号状態検出回路１２は、制御用インターフェース２９あるいは制御用インターフェース１３により、共通のＩＩＣバスライン３１を介して外部のＣＰＵ３０と接続され、制御用インターフェース２９あるいは制御用インターフェース１３から、共通のＩＩＣバスライン３１を介して、データおよびクロックのパルスを送受信することによって外部制御が行われる。これにより、衛星放送受信装置４０のフロントエンドユニットに設けられた、ＰＬＬ回路２６と閉ループを構成するＶＣＯ回路２８は、上記ＩＩＣバスライン３１から制御用インターフェース２９に入力されるデータおよびクロックのパルスに基づく復調ＩＣパラメータに応じた局部発振信号を出力する。
【０１１１】
このように、本実施の形態では、上記ＩＩＣバスライン３１を介して、データおよびクロックのパルスを送受信することによって、８相ＰＳＫ復調ＩＣ２０のパラメータ（復調ＩＣパラメータ）の設定、変更を行うことができる。
【０１１２】
なお、上記衛星放送受信システムにおける衛星放送受信装置４０としては、前記実施の形態１にて示した衛星放送受信装置１０あるいは衛星放送受信装置１０’の何れも使用することができる。つまり、本実施の形態に係る衛星放送受信システムにおける衛星放送受信装置４０は、前記衛星放送受信装置１０あるいは衛星放送受信装置１０’における制御用インターフェース１３並びに制御用インターフェース２９の入出力端子がＣＰＵ３０と共通に用いられるＩＩＣバスライン３１に接続された構成を有し、該衛星放送受信装置４０に用いられる信号状態検出回路１２としては、Ｃ／Ｎ値検出回路１２ａを備え、入力信号のＣ／Ｎ値を検出する構成としてもよく、復調回路１２ｂと、ＢＥＲ値検出回路１２ｃとを備え、復調された入力信号のＢＥＲ値を検出する構成としてもよい。
【０１１３】
本実施の形態によれば、復調ＩＣパラメータの設定に共通のＩＩＣバスライン３１を使用するため、制御用インターフェース１３、制御用インターフェース２９、およびＣＰＵ３０の各入出力端子を上記ＩＩＣバスライン３１にそれぞれ接続するだけで上記制御を行うことができるので、制御用インターフェース１３、制御用インターフェース２９、およびＣＰＵ３０間で検出結果や制御信号を遣り取りするための制御系統（制御情報用の制御情報ライン等）を新たに設ける必要が無く、より簡単で安価なシステムを提供することができる。
【０１１４】
〔実施の形態３〕
本実施の形態について、図１１に基づいて説明すれば、以下の通りである。
本実施の形態では、前記実施の形態１および２との相違点について説明するものとし、前記実施の形態１および２で用いた部材と同一の機能を有する部材には同一の部材番号を付記し、その説明を省略する。
【０１１５】
図１１は本実施の形態に係る衛星放送受信システムの概略構成を示すブロック図である。なお、本実施の形態でも、衛星放送受信システムの一例として、ＢＳディジタル衛星放送受信システムを例に挙げて説明するものとするが、本発明はこれに限定されるものではない。
【０１１６】
図１１に示すように、本実施の形態に係る衛星放送受信システムにおける衛星放送受信装置５０（衛星放送受信部）のフロントエンドユニットは、周波数選局・Ｉ／Ｑ復調回路１１と８相ＰＳＫ復調ＩＣ５１とを備え、該８相ＰＳＫ復調ＩＣ５１内部に、信号状態検出回路１２が設けられた構成を有している。
【０１１７】
これにより、前記実施の形態１および２では周波数ダウンコンバータ２を介して受信アンテナ１から衛星放送受信部に入力された入力信号は、該衛星放送受信部において２分配され、その一方が周波数選局・Ｉ／Ｑ復調回路１１に送出され、他方が信号状態検出回路１２に入力されることで、該信号状態検出回路１２では、周波数ダウンコンバータ２で第１中間周波数信号に周波数変換された入力信号あるいは第１中間周波数信号に周波数変換された後、復調された入力信号の状態を検出するようになっていたが、本実施の形態では、８相ＰＳＫ復調回路２３によりディジタル復調された入力信号の状態を検出するようになっている。
【０１１８】
つまり、本実施の形態に係る８相ＰＳＫ復調ＩＣ５１は、Ａ／Ｄコンバータ２１・２２、８相ＰＳＫ復調回路２３、トレリスデコーダ２４、リードソロモンデコーダ２５、ＰＬＬ回路２６、ループフィルタ２７、ＶＣＯ回路２８、制御用インターフェース２９に加えて、信号状態検出回路１２を備え、該信号状態検出回路１２による検出結果は、制御用インターフェース２９を介してＣＰＵ３０によって検出されるようになっている。
【０１１９】
この場合、上記信号状態検出回路１２としては、信号復調回路（ＩＣ）としての８相ＰＳＫ復調ＩＣ５１が本来有する、例えばＣ／Ｎモニタレジスタ等の信号検出機能（信号検出機構）を使用することができる。上記信号状態検出回路１２として例えばＣ／Ｎモニタレジスタを使用した場合、上記信号状態検出回路１２は、入力信号の状態として入力信号のＣ／Ｎ値を検出する。なお、上記信号状態検出回路１２としては、Ｃ／Ｎモニタレジスタに限定されず、８相ＰＳＫ復調ＩＣ５１が本来有する信号検出機能（信号検出機構）を使用することができ、例えば復調された入力信号のＢＥＲ値を検出する構成とすることもできる。上記８相ＰＳＫ復調ＩＣ５１の特性制御としては、前記実施の形態１において、図２、図３、図５、図６、または図９に示したフローチャートと同じであるため省略する。
【０１２０】
本実施の形態では、このように、入力信号の状態の検出に、もともと８相ＰＳＫ復調ＩＣ５１が有する機能を使用するため、新たに入力信号の状態検出用の回路等を設ける必要が無く、より簡単で安価なシステムを提供することができる。
【０１２１】
また、本実施の形態に係る衛星放送受信システムにおいても、上記衛星放送受信装置５０におけるＣＰＵ３０と８相ＰＳＫ復調ＩＣ５１とが共に、データ線３１ａとクロック線３１ｂとからなる共通のＩＩＣバスライン３１に接続されていることで、このＩＩＣバスライン３１上でデータパルスとそれに同期したクロックパルスとを送受信することにより、上記信号状態検出回路１２により検出した入力信号の状態をＩＩＣバスライン３１を介してＣＰＵ３０にて検出することができる。また、上記ＩＩＣバスライン３１を介して、データおよびクロックのパルスを送受信することによって、８相ＰＳＫ復調ＩＣ５１のパラメータ（復調ＩＣパラメータ）の設定、変更を行うことができる。
【０１２２】
このように、本実施の形態においても、制御用インターフェース２９とＣＰＵ３０とは、実施の形態１にて用いたような制御情報用の制御情報ラインにより接続することもできるが、図１１に示したように、復調ＩＣパラメータの設定に共通のＩＩＣバスライン３１を使用し、制御用インターフェース２９およびＣＰＵ３０の各入出力端子を上記ＩＩＣバスライン３１にそれぞれ接続することで、制御用インターフェース２９とＣＰＵ３０との間で検出結果や制御信号を遣り取りするための制御系統（制御情報用の制御情報ライン等）を新たに設ける必要が無く、より簡単で安価なシステムを提供することができる。
【０１２３】
本実施の形態に係る衛星放送受信システムでは、受信アンテナ１で受信された信号（ＲＦ(radio frequency：無線周波数）信号）、すなわち、衛生放送は、周波数ダウンコンバータ２を介して衛星放送受信装置５０における周波数選局・Ｉ／Ｑ復調回路１１に入力され、周波数選局・Ｉ／Ｑ復調回路１１で選局された後、Ｉ／Ｑ復調されてディジタル復調すべきベースバンド信号（Ｉ信号およびＱ信号）に変換され、８相ＰＳＫ復調ＩＣ５１に送出される。なお、上記各部（回路）における動作は、前記実施の形態１にて示した通りである。
【０１２４】
このようにして変換されたベースバンド信号のうち、Ｉ信号はＡ／Ｄコンバータ２１に入力され、Ｑ信号はＡ／Ｄコンバータ２２に入力され、それぞれアナログ／ディジタル変換されて８相ＰＳＫ復調回路２３に送出される。
【０１２５】
８相ＰＳＫ復調回路２３に入力された信号は、信号状態検出回路１２にて、状態の検出が行われ、この検出結果は、制御用インターフェース２９を介してＩＩＣバスライン３１からＣＰＵ３０に出力され、該ＣＰＵ３０において検出される。
【０１２６】
また、上記８相ＰＳＫ復調ＩＣ５１は、ＩＩＣバスライン３１を介して、ＣＰＵ３０によって、その動作が制御されている。
【０１２７】
上記８相ＰＳＫ復調ＩＣ５１には、ＣＰＵ３０から例えば受信チャネルの選局データがＩＩＣバスライン３１を介してデータパルスおよびクロックパルスとして与えられている。該データは、制御用インターフェース２９を介してＰＬＬ回路２６に入力される。該ＰＬＬ回路２６では、上記データに対応して、上記８相ＰＳＫ復調ＩＣ５１における８相ＰＳＫ復調回路２３の特性を決定するパラメータ（復調ＩＣパラメータ）の設定が行われ、該パラメータに応じた発振周波数の制御等が行われ、所望する選局チャネルの信号成分に発振周波数が一致するように制御されている。ＰＬＬ回路２６による制御結果は、Ａ／Ｄコンバータ２１・２２にてディジタル変換され、８相ＰＳＫ復調回路２３に出力される。これにより、上記Ａ／Ｄコンバータ２１・２２には、上記ＰＬＬ回路２６と閉ループを形成するＶＣＯ回路２８からの局部発振信号が制御信号として与えられている。
【０１２８】
信号状態検出回路１２にて検出された入力信号の状態がＣＰＵ３０において検出されると、該ＣＰＵ３０では、信号状態検出回路１２で検出された入力信号の状態から、受信性能を左右するパラメータである、８相ＰＳＫ復調ＩＣ５１、特に、８相ＰＳＫ復調回路２３の特性を決めるパラメータ値として現在設定されているパラメータ値（復調ＩＣパラメータ）が入力信号の状態に最適な値かどうかを判定する。
【０１２９】
そして、該ＣＰＵ３０は、上記判定結果に応じて、８相ＰＳＫ復調回路２３の特性、具体的には、該８相ＰＳＫ復調回路２３の特性を決定するパラメータを最適な値に制御すべく、ＩＩＣバスライン３１から、８相ＰＳＫ復調ＩＣ５１の制御用インターフェース２９を介して、上記ＰＬＬ回路２６に入力するデータパルスおよびそクロックパルスを変更する。これにより、上記Ａ／Ｄコンバータ２１・２２には、上記信号状態検出回路１２で検出された入力信号の状態に応じた局部発振信号（制御信号）が与えられる。
【０１３０】
そして、前記周波数選局・Ｉ／Ｑ復調回路１１より上記Ａ／Ｄコンバータ２１・２２を介して８相ＰＳＫ復調回路２３に出力されたＩ信号およびＱ信号は、該８相ＰＳＫ復調回路２３にて８相ＰＳＫ復調されてトレリスデコーダ２４に出力され、トレリス符号化８相ＰＳＫ変調された後、リードソロモンデコーダ２５を介してトランスポートストリームデータとして衛星放送受信装置５０より後段の回路に出力される。
【０１３１】
本実施の形態においても、このように、上記信号状態検出回路１２にて受信アンテナ１から衛生放送受信部に入力された入力信号の状態を検出し、該検出結果に基づいて８相ＰＳＫ復調回路２３の特性を最適な値に制御することで、常に最適な受信性能を確保することができる。これにより、放送電波の降雨減衰や振動等に強く、より安定して動作する衛星放送受信システムを提供することができる。
【０１３２】
〔実施の形態４〕
本実施の形態について、図１２および図１３に基づいて説明すれば、以下の通りである。
本実施の形態では、実施の形態１〜３との相違点について説明するものとし、前記実施の形態１〜３で用いた部材と同一の機能を有する部材には同一の部材番号を付記し、その説明を省略する。
【０１３３】
図１２は本実施の形態に係る衛星放送受信システムの概略構成を示すブロック図である。なお、本実施の形態でも、衛星放送受信システムの一例として、ＢＳディジタル衛星放送受信システムを例に挙げて説明するものとするが、本発明はこれに限定されるものではない。
【０１３４】
図１２に示すように、本実施の形態に係る衛星放送受信システムにおける衛星放送受信装置６０（衛星放送受信部）のフロントエンドユニットは、周波数選局・Ｉ／Ｑ復調回路１１と８相ＰＳＫ復調ＩＣ６１とを備え、該８相ＰＳＫ復調ＩＣ６１内部に、信号状態検出回路１２が設けられた構成を有している。本実施の形態において、８相ＰＳＫ復調ＩＣ６１並びに上記信号状態検出回路１２は、前記実施の形態３に示す８相ＰＳＫ復調ＩＣ５１並びに信号状態検出回路１２と同様の構成を有している。
【０１３５】
本実施の形態に係る上記８相ＰＳＫ復調ＩＣ６１は、前記８相ＰＳＫ復調ＩＣ５１の構成に加えて、上記信号状態検出回路１２とＣＰＵ３０との双方に接続され、上記ＣＰＵ３０に、上記入力信号の状態に基づく割り込み信号を出力する信号状態出力フラグ６２を有している。
【０１３６】
該信号状態出力フラグ６２は、信号状態検出回路１２に接続されて該信号状態検出回路１２からの入力信号の状態の検出データに基づいて出力信号のレベルをＨ（high）とＬ(low) とで切り換えるようになっている。
【０１３７】
また、該信号状態出力フラグ６２は、ＣＰＵ３０の割り込み制御用入力ポート３０ａに接続されており、該信号状態出力フラグ６２の出力信号（Ｈ／Ｌ信号）によってＣＰＵ３０に対して割り込みをかけることで、信号状態検出回路１２で検出された入力信号の状態を検出するようになっている。
【０１３８】
そして、ＣＰＵ３０は、上記信号状態出力フラグ６２からの割り込み信号の有無により各々別個の復調ＩＣパラメータを設定することで入力信号の状態に応じて復調ＩＣのパラメータ設定を変更すべく、８相ＰＳＫ復調ＩＣ６１の制御用インターフェース２９を介してＰＬＬ回路２６に入力するデータを変更する。
【０１３９】
上記信号状態出力フラグ６２からＣＰＵ３０への割り込みによる入力信号の状態検出は、例えば、上記８相ＰＳＫ復調ＩＣ６１の信号状態出力フラグ６２に、一例としてＣ／Ｎモニタフラグを用いた場合、Ｃ／Ｎモニタフラグは、入力信号のＣ／Ｎ値が予め設定されたＣ／Ｎ値より小さくなった場合にはＨ（high）レベルの信号（Ｈ信号）を出力し、逆に、入力信号のＣ／Ｎ値が予め設定されたＣ／Ｎ値より大きくなった場合にはＬ(low) レベルの信号（Ｌ信号) を出力するといった動作を行なうことで行われる。
【０１４０】
ここで、入力信号のＣ／Ｎ値が、予め設定された所定の値よりも小さくなった場合に復調ＩＣパラメータを切り替えるといった制御を行う場合、上記ＣＰＵ３０の割り込み制御用入力ポート３０ａヘの入力信号がＨレベルとなった時に割り込み制御がかかるように設定しておくことにより、入力信号のＣ／Ｎ値に応じて復調ＩＣパラメータを切り替える制御を行うことができる。
【０１４１】
このように、本実施の形態でも、上記信号状態検出回路１２にて受信アンテナ１から衛星放送受信部に入力された入力信号の状態を検出し、該検出結果に基づいて８相ＰＳＫ復調回路２３の特性を最適な値に制御することで、常に最適な受信性能を確保することができるようになっている。
【０１４２】
次に、図１３に示すフローチャートに基づいて、信号復調回路およびエラー訂正回路を内蔵した衛星放送受信部の衛星放送受信用のフロントエンドユニットの制御方法として、上記衛星放送受信装置６０の８相ＰＳＫ復調ＩＣ６１の特性制御について以下に説明する。
【０１４３】
上記フロントエンドユニットでは、先ず、図１３に示すように、外部のＣＰＵ３０からの制御データに基づいて、初期設定（Ｓ５１）を行った後、８相ＰＳＫ復調ＩＣ６１の特性、より具体的には、信号復調回路である８相ＰＳＫ復調回路２３の特性を決めるパラメータ（復調ＩＣパラメータ）の設定が行われる（Ｓ５２）。
【０１４４】
次に、ＣＰＵ３０にて、信号状態出力フラグ６２からの割り込み信号が検出されると（Ｓ５３）、復調ＩＣパラメータの設定を変更し（Ｓ５６）、再びＳ５２に戻って復調ＩＣパラメータを設定し、割り込み信号の検出を行う（Ｓ５３）。
【０１４５】
Ｓ５３で割り込み信号がない場合、つまり、割り込み信号が検出されないときは、設定を完了（Ｓ５４）して待機状態に入る（Ｓ５５）。
【０１４６】
以上のように、本実施の形態によれば、初期設定の後、割り込み信号の有無を検出し、割り込み信号の有無で各々別個のパラメータを設定することにより、入力信号の状態に応じて復調ＩＣのパラメータ設定を切り替えることができ、時間軸に対して常に最適なパラメータ値を設定することができる。これにより、放送電波の降雨減衰や振動等に強く、より安定して動作する衛星放送受信システムを提供することができる。また、本実施の形態によれば、制御フローが簡略化されることにより、ソフトの設計が容易となり、ＣＰＵ３０の負担も軽減されるため、より簡単で安価なシステムを提供することができる。
【０１４７】
なお、本実施の形態では、上記信号状態検出回路１２が８相ＰＳＫ復調ＩＣ６１内部に設けられている構成としたが、前記実施の形態１に示すように、上記信号状態検出回路１２が、８相ＰＳＫ復調ＩＣ６１の前段に設けられている構成としてもよい。
【０１４８】
【発明の効果】
本発明に係る衛星放送受信システムは、以上のように、受信アンテナから入力された入力信号を復調する信号復調回路および上記受信アンテナから入力された入力信号の状態を検出する信号状態検出回路を備えた衛星放送受信部と、上記信号状態検出回路で検出された入力信号の状態に応じて上記信号復調回路の特性を変化させる制御部とを備えている構成である。
【０１４９】
それゆえ、受信性能を左右する、信号復調回路の特性を、上記入力信号の状態に応じて変化させることができるので、該信号復調回路の特性を、上記入力信号の状態に応じた最適な状態（特性値）に保つことができる。このため、常に最適な受信性能を確保することができ、放送電波の降雨減衰や振動等に強く、より安定して動作する衛星放送受信システムを提供することができるという効果を奏する。
【０１５０】
本発明に係る衛星放送受信システムは、以上のように、上記制御部は、上記信号状態検出回路で検出された入力信号の状態に応じて上記信号復調回路の特性を決定するＰＬＬループフィルタの時定数を変化させる構成である。
【０１５１】
上記ＰＬＬループフィルタの時定数に対する耐ノイズ特性および耐振動特性は、互いに相反する傾向性を有している。しかしながら、上記の構成によれば、入力信号の状態に応じて上記ＰＬＬループフィルタの時定数を変化させることで、上記信号復調回路の特性を、上記入力信号の状態に応じて変化させることができる。それゆえ、上記の構成によれば、常に最適な受信性能を確保することができ、放送電波の降雨減衰や振動等に強く、より安定して動作する衛星放送受信システムを提供することができるという効果を奏する。
【０１５２】
本発明に係る衛星放送受信システムは、以上のように、上記信号状態検出回路は、上記受信アンテナから入力された入力信号のＣ／Ｎ値を検出し、上記制御部は、上記信号状態検出回路で検出された入力信号のＣ／Ｎ値に応じて上記信号復調回路の特性を変化させる構成である。
【０１５３】
入力信号に含まれるノイズ量は、入力信号のＣ／Ｎ値によって正確に表すことができるが、一般的に、耐ノイズ特性と耐振動特性とは互いに相反する傾向を有している。しかしながら、上記の構成によれば、入力信号のＣ／Ｎ値に応じて上記信号復調回路の特性を変化させることで、常に最適な受信性能を確保することができる。それゆえ、放送電波の降雨減衰や振動等に強く、より安定して動作する衛星放送受信システムを提供することができるという効果を奏する。
【０１５４】
本発明に係る衛星放送受信システムは、以上のように、上記信号状態検出回路は、上記受信アンテナから入力された入力信号のＣ／Ｎ値を検出し、上記制御部は、上記信号状態検出回路で検出された入力信号のＣ／Ｎ値に応じて、上記信号復調回路の特性を決定するＰＬＬループフィルタの時定数を、予め調査された衛星放送受信部の出力信号にエラーが発生しない範囲で限界まで小さくなるように変化させる構成である。
【０１５５】
入力信号に含まれるノイズ量は、入力信号のＣ／Ｎ値によって正確に表すことができるが、一般的に、耐ノイズ特性と耐振動特性とは互いに相反する傾向を有している。耐ノイズ特性は、上記衛星放送受信部の出力データにエラーが発生しない限界のノイズ量（限界ノイズ量）として表すことができる。一方、耐振動特性は、上記衛星放送受信部の出力データにエラーが発生しない限界の振動量（限界振動量）として表すことができ、限界の振動量は限界の周波数変動量（限界周波数変動量）として表すことができる。そして、ＰＬＬループフィルタの時定数が小さくなると、限界周波数変動量は大きくなる傾向にある。すなわち、耐振動特性が良くなる。
【０１５６】
それゆえ、上記信号状態検出回路で検出された入力信号のＣ／Ｎ値（ノイズ量）に応じて、上記信号復調回路の特性を決定するＰＬＬループフィルタの時定数を、予め調査された衛星放送受信部の出力信号にエラーが発生しない範囲で限界まで小さくなるように変化させることで、常に最適な耐振動特性を得ることができる。このため、放送電波の降雨減衰や振動等に強く、より安定して動作する衛星放送受信システムを提供することができるという効果を奏する。
【０１５７】
本発明に係る衛星放送受信システムは、以上のように、上記信号状態検出回路は、上記受信アンテナから入力された入力信号の復調後のＢＥＲ値を検出し、上記制御部は、上記信号状態検出回路で検出された、復調された入力信号のＢＥＲ値に応じて上記信号復調回路の特性を変化させる構成である。
【０１５８】
それゆえ、上記信号復調回路の特性を、復調された入力信号のＢＥＲ値に応じた最適な状態（特性値）に保つことができるので、常に最適な受信性能を確保することができ、放送電波の降雨減衰や振動等に強く、より安定して動作する衛星放送受信システムを提供することができるという効果を奏する。
【０１５９】
本発明に係る衛星放送受信システムは、以上のように、上記制御部と衛星放送受信部との間でデータパルスおよびクロックパルスの送受信が可能な双方向バスラインを備え、上記制御部は、上記双方向バスラインを介して上記衛星放送受信部とデータパルスおよびクロックパルスを送受信することによって上記信号復調回路の特性を変化させる構成である。
【０１６０】
それゆえ、上記信号復調回路の特性を変化させるために、上記制御部と衛星放送受信部との間、具体的には、例えば上記制御部と上記信号復調回路との間並びに上記制御部と信号状態検出回路との間で検出結果や制御信号を遣り取りするための制御系統を新たに設ける必要が無く、より簡素で安価な衛星放送受信システムを提供することができるという効果を奏する。
【０１６１】
本発明に係る衛星放送受信システムは、以上のように、上記信号状態検出回路が、上記信号復調回路が有する信号状態検出機構である構成である。
【０１６２】
それゆえ、入力信号の状態の検出に、上記信号復調回路が有する信号状態検出機構を使用することができるので、新たに入力信号の状態検出用の回路等を設ける必要が無く、より簡素で安価な衛星放送受信システムを提供することができるという効果を奏する。
【０１６３】
本発明に係る衛星放送受信システムは、以上のように、上記衛星放送受信部が、上記信号状態検出回路と制御部との双方に接続され、上記制御部に、上記入力信号の状態に基づく割り込み信号を出力する信号状態出力フラグを備え、上記制御部は、上記信号状態検出回路に接続された信号状態出力フラグの割り込み信号によって上記信号復調回路の特性を変化させる構成である。
【０１６４】
それゆえ、上記制御部は、上記信号状態検出回路に接続された信号状態出力フラグの割り込み信号によって上記信号復調回路の特性を変化させることができるので、常に最適な受信性能を確保することができ、放送電波の降雨減衰や振動等に強く、より安定して動作する衛星放送受信システムを提供することができると共に、制御フローが簡略化されることにより、ソフトの設計が容易となり、上記制御部の負担も軽減されるため、より簡素で安価なシステムを提供することができるという効果を奏する。
【図面の簡単な説明】
【図１】本発明の一実施の形態に係る衛星放送受信用システムの概略構成を示すブロック図である。
【図２】図１に示す衛星放送受信用システムにおける衛星放送受信用のフロントエンドユニットの制御方法を示すフローチャートである。
【図３】図１に示す衛星放送受信用システムにおける衛星放送受信用のフロントエンドユニットの制御方法を示す他のフローチャートである。
【図４】本発明の一実施の形態に係る衛星放送受信用システムの構成の一例を示すブロック図である。
【図５】図４に示す衛星放送受信用システムにおける衛星放送受信用のフロントエンドユニットの制御方法を示すフローチャートである。
【図６】図４に示す衛星放送受信用システムにおける衛星放送受信用のフロントエンドユニットの制御方法を示す他のフローチャートである。
【図７】ＰＬＬループフィルタの時定数に対する耐ノイズ特性および耐振動特性の一例を示すグラフである。
【図８】本発明の一実施の形態に係る衛星放送受信用システムの構成の他の例を示すブロック図である。
【図９】図８に示す衛星放送受信用システムにおける衛星放送受信用のフロントエンドユニットの制御方法を示す他のフローチャートである。
【図１０】本発明の他の実施の形態に係る衛星放送受信用システムの概略構成を示すブロック図である。
【図１１】本発明のさらに他の実施の形態に係る衛星放送受信用システムの概略構成を示すブロック図である。
【図１２】本発明のさらに他の実施の形態に係る衛星放送受信用システムの概略構成を示すブロック図である。
【図１３】図１２に示す衛星放送受信用システムにおける衛星放送受信用のフロントエンドユニットの制御方法を示すフローチャートである。
【図１４】従来の衛星放送受信用システムの概略構成を示すブロック図である。
【図１５】従来の衛星放送受信用システムにおける衛星放送受信用のフロントエンドユニットの制御方法を示すフローチャートである。
【符号の説明】
１    受信アンテナ
２    周波数ダウンコンバータ
１０    衛星放送受信装置（衛星放送受信部）
１０’  衛星放送受信装置（衛星放送受信部）
１１    周波数選局・Ｉ／Ｑ復調回路
１２    信号状態検出回路
１２ａ  Ｃ／Ｎ値検出回路
１２ｂ  復調回路
１２ｃ  ＢＥＲ値検出回路
１３    制御用インターフェース
２０    ８相ＰＳＫ復調ＩＣ
２１    Ａ／Ｄコンバータ
２２    Ａ／Ｄコンバータ
２３    ８相ＰＳＫ復調回路（信号復調回路）
２４    トレリスデコーダ
２５    リードソロモンデコーダ
２６    ＰＬＬ回路
２７    ループフィルタ
２８    ＶＣＯ回路
２９    制御用インターフェース
３０    ＣＰＵ（制御部）
３０ａ  割り込み制御用入力ポート
３１    ＩＩＣバスライン（双方向バスライン）
３１ａ  データ線
３１ｂ  クロック線
４０    衛星放送受信装置（衛星放送受信部）
５０    衛星放送受信装置（衛星放送受信部）
５１    ８相ＰＳＫ復調ＩＣ
６０    衛星放送受信装置（衛星放送受信部）
６１    ８相ＰＳＫ復調ＩＣ
６２    信号状態出力フラグ
【図１】
0003833457.tif 000002
【図２】
0003833457.tif 000003
【図３】
0003833457.tif 000004
【図４】
0003833457.tif 000005
【図５】
0003833457.tif 000006
【図６】
0003833457.tif 000007
【図７】
0003833457.tif 000008
【図８】
0003833457.tif 000009
【図９】
0003833457.tif 000010
【図１０】
0003833457.tif 000011
【図１１】
0003833457.tif 000012
【図１２】
0003833457.tif 000013
【図１３】
0003833457.tif 000014
【図１４】
0003833457.tif 000015
【図１５】
0003833457.tif 000016